(57)【要約】      （修正有）【課題】竹材が得られる場所、あるいは竹炭の消費個所へ容易に移動することができる竹材用の炭窯を提供することを目的としている。また、有益な竹酢液を回収できる竹材用の炭窯を提供する。【解決手段】実質的に周囲が保湿材で被覆された円筒上窯本体からなり、その一方端部の下方に焚き口３が、そして他方の上部に煙突５が設けられている竹材用の炭窯であって、前期炭窯が運搬車６に載置されて可搬式になっている竹材用の炭窯。【選択図】図２
0003101368.tif 000002
【実用新案登録請求の範囲】
【請求項１】
竹炭用窯を特殊保温剤を使用し、窯を密閉された空間内で加熱し、竹炭及び竹酢液を製造する。
【請求項２】
窯内で高温で発生するタール分を除去する為に窯内部の下面に網状のものを設置してある。
【請求項３】
窯の加熱時に発生する煙の中の竹酢液採取用として窯外の煙突上部にフードをつけ、かつその上にパイプをつけ煙を冷却して竹酢液を採取する。
【請求項４】
焚き口の空気量を可変にする為に回転用窓をつけてある。
【請求項５】
窯が小容量で移動が可能である。
【考案の詳細な説明】
【０００１】
【考案の属する技術分野】
本実用新案は、竹の燃焼としてできる炭及び竹酢液を処理する方法である。
【０００２】
【従来の技術】
今迄の窯は粘土、耐火煉瓦、セメント、土砂等で保温し煙は放流している。
【０００３】
【考案が解決しようとする課題】
本案は、従来の保温に用いられた粘土、耐火煉瓦、セメント、土砂等を使用せず、特殊な保温剤で保温し、竹炭及び発生する煙を保集して竹酢液を採取するものである。
【課題を解決するための手段】
上記課題を解決するために鋭意研究を重ねた結果、特殊保温剤を使用し、熱を有効に利用し、かつ煙の保集冷却で竹酢液を製造する。
【考案の実施の形態】
真竹、孟宗竹いずれも可。竹の寸法は４０ｃｍにそろえる。これを２〜６分割にする。（竹は最低１ヶ月間は自然乾燥する）
次に以上の竹を窯に入れる。窯底には熱分解をよくし、タール分の付着を避けるために金網などを敷いて、その上から竹を積み上げる。
底には細目の竹を、真中下あたりには普通の太さの竹を、真中上には太目の竹を、一番上あたりには細目の竹を突っ込む。できるかぎり空きがないように入れる。窯の蓋を閉め、焚き口に紙を敷いて、その上に割り箸など火のつきやすい細木を６、７本乗せ点火する。細木が勢いよく燃えたら、うちわで火勢をあおる。煙突口から煙が勢いよく継続して出るまで追い焚きする。
煙の出方が安定したら、追い焚きを止める。焚き口を閉めたまま空気口の穴だけをあけておく。追い焚き後１時間以上経過したら、煙突口から２０ｃｍ位のところへ温度計を針金でたらして温度を測り、８０度あれば竹酢液の採取を始める。これ以後約３時間程度採取可。煙の色がタバコの煙のように、やや紫がかったら採取を止める。
火を入れて４〜５時間経過すると煙の量が減り、色が変化する。７〜９時間経過すると無色煙になり、陽炎のようにユラユラ煙になったら炭化完了。
ここで１０〜３０分間焚き口を全開にしてタール分を抜く。その後煙突口を密閉し、１６時間以上冷ましてから窯の蓋を開ける。
【実施例】
窯は５２０ｍｍ（直径）×５２０ｍｍ（長さ）の円筒形である。
竹は真竹で、４０ｃｍ長さで４分割して１ヶ月自然乾燥した物を使用した。
窯の下部の網の上に竹を積み重ね、網の下の所に小さく切った竹を入れ火をつけた。空気窓は全開し、１時間後に回転窓を調節しながら煙の出具合を見ながら更に回転窓を閉めていった。
７時間後に煙が陽炎状になったところで全閉した。その後１６時間放置した。温度は最高７００度になった。
【考案の効果】
この窯を使用して、竹の重量２５Ｋｇに対し１１，５Ｋｇの竹炭ができ、竹酢液は１，２ｌ採取できた。
【図面の簡単な説明】
【図１】本体を示した側面図である。
【図２】本体を示した断面図である。
【符号の説明】
１  窯本体
２  保温材
３  焚き口
４  空気調整口
５  煙突
６  運搬車
【図１】
0003101368.tif 000003
【図２】
0003101368.tif 000004
【手続補正書】
【提出日】平成15年9月9日(2003.9.9)
【手続補正１】
【補正対象書類名】明細書
【補正対象項目名】実用新案登録請求の範囲
【補正方法】変更
【補正の内容】
【実用新案登録請求の範囲】
【請求項１】
実質的に周囲が保温材で被覆された円筒状窯本体からなり、その一方端部の下方に焚き口が、そして他方の上部に煙突が設けられている竹材用の炭窯であって、
前記炭窯が運搬車に載置されて可搬式になっている竹材用の炭窯。
【請求項２】
請求項１に記載の炭窯において、円筒状窯本体の下部にタール分除去用の網状体が設けられている竹材用の炭窯。
【請求項３】
請求項１または２に記載の炭窯において、煙突の上部に窯から発生する煙を導くパイプと、該パイプ中の煙を冷却するフードとからなる竹酢液採集装置が設けられている竹材用の炭窯。
【請求項４】
請求項１〜３のいずれかの項に記載の炭窯において、焚き口には空気量を調整するための回転窓が設けられている竹材用の炭窯。
【手続補正２】
【補正対象書類名】明細書
【補正対象項目名】０００１
【補正方法】変更
【補正の内容】
【０００１】
本考案は、竹材用の炭窯に関し、タール分を除去した竹炭と竹酢液を得ることができる竹材用の炭窯に関するものである。


【手続補正３】
【補正対象書類名】明細書
【補正対象項目名】０００２
【補正方法】変更
【補正の内容】
【０００２】
【従来の技術】
従来の竹材用の炭窯の本体は、粘土、耐火煉瓦、セメント、土砂等の保温材から構成されている。そして、窯本体には焚き口も煙突も設けられている。したがって、従来周知のように窯本体内に竹材を入れ、所定時間燃焼すると竹炭が得られる。


【手続補正４】
【補正対象書類名】明細書
【補正対象項目名】０００３
【補正方法】変更
【補正の内容】
【０００３】
【考案が解決しようとする課題】
従来の炭窯は、保温材に粘土、耐火煉瓦、セメント、土砂等が使用されているので、重量があり据え置き式で、竹材が得られる場所と炭窯の設置場所とが離れて使用勝手が悪いという欠点がある。また、有益な竹酢液が廃棄されている。
したがって、本考案は竹材が得られる場所、あるいは竹炭の消費箇所へ容易に移動することができる竹材用の炭窯を提供することを目的としている。また、有益な竹酢液を回収できる竹材用の炭窯を提供することを目的としている。
【課題を解決するための手段】
請求項１に記載の考案は、上記目的を達成するために、実質的に周囲が保温材で被覆された円筒状窯本体からなり、その一方端部の下方に焚き口が、そして他方の上部に煙突が設けられている竹材用の炭窯であって、前記炭窯が運搬車に載置されて可搬式に構成されている。請求項２に記載の考案は、請求項１に記載の炭窯において、円筒状窯本体の下部にタール分除去用の網状体が設けられ、請求項３に記載の考案は、請求項１または２に記載の炭窯において、煙突の上部に窯から発生する煙を導くパイプと、該パイプ中の煙を冷却するフードとからなる竹酢液採集装置が設けられ、そして請求項４に記載の考案は、請求項１〜３のいずれかの項に記載の炭窯において、焚き口には空気量を調整するための回転窓が設けられている。
【考案の実施の形態】
以下本考案の実施の形態を説明する。図１、２において、参照数字１は円筒状の窯本体を示している。この窯本体１の外周部および側面は、図にも示されているように、保温材２が巻かれている。３は焚き口を、４は空気調整口を、５は煙突を、そして６は運搬車をそれぞれ示している。したがって、次のようにして竹炭を製造することができる。すなわち、真竹、孟宗竹いずれも可。竹の寸法は４０ｃｍにそろえる。これを２〜６分割にする。（竹は最低１ヶ月間は自然乾燥する）次に以上の竹を窯に入れる。窯底には熱分解をよくし、タール分の付着を避けるために金網などを敷いて、その上から竹を積み上げる。底には細目の竹を、真中あたりには普通の太さの竹を、真中上には太目の竹を、一番上あたりには細目の竹を突っ込む。できるかぎり空きがないように入れる。窯の蓋を閉め、焚き口に紙を敷いて、その上に割り箸など火のつきやすい細木を６、７本乗せ点火する。細木が勢いよく燃えたら、うちわで火勢をあおる。煙突口から煙が勢いよく継続して出るまで追い焚きする。
煙の出方が安定したら、追い焚きをを止める。焚き口を閉めたまま空気口の穴だけをあけておく。追い焚き後１時間以上経過したら、煙突口から２０ｃｍ位のところへ温度計を針金でたらして温度を測り、８０度あれば竹酢液の採取を始める。これ以上３時間程度採取可。煙の色がタバコ煙のように、やや紫がかったら採取を止める。
火を入れて４〜５時間経過すると煙の量が漬り、色が変化する。７〜９時間経過すると無色煙になり、陽炎のようにユラユラ煙になったら炭化完了。
ここで１０〜３０分間焚き口を全開にしてタール分を抜く。その後煙突口を密閉し、１６時間以上冷ましてから窯の蓋を開ける。
【実施例】
窯は５２０ｍｍ（直径）×５２０ｍｍ（長さ）の円筒形であった。
竹は真竹で、４０ｃｍ長さで分割して１ヶ月自然乾燥した物を使用した。窯の下部の網の上に竹を積み重ね、網の下の所に小さく切った竹を入れ火をつけた。空気窓は全開し、１時間後に回転窓を調節しながら煙の出具合を見ながら更に回転窓を閉めていった。
７時間後に煙が陽炎状になったところで全閉した。その後１６時間放置した。温度は７００度になった。
この窯を使用して竹の重量２５ｋｇに対し１１，５ｋｇの竹炭ができ、竹酢液は１，２リットルできた。
【考案の効果】
以上のように、本考案によると、窯本体は保温材で覆われているので、高温に保つことができ、また運搬車に載置されて可搬式になっているので、竹材が得られる場所、あるいは竹炭の消費箇所へ容易に移動して品質の高い竹炭を得ることができる。また、他の考案によると、タール分除去用の網状体が設けられているので、タール分の少ない高品質の竹炭を得ることができ、さらには焚き口の開度が調整可能になっている考案によると、高品質の竹炭を得られることができる。また、他の考案によると、竹酢液採集装置が設けられているので、有益な竹酢液を回収できる効果がさらに得られる。


【手続補正５】
【補正対象書類名】明細書
【補正対象項目名】図面の簡単な説明
【補正方法】変更
【補正の内容】
【図面の簡単な説明】
【図１】本考案の実施の形態を示す側面図である。
【図２】本考案の実施の形態を示す断面図である。
【符号の説明】
１    窯本体
２    保温材
３    焚き口
４    空気調整口
５    煙突
６    運搬車